(57)【要約】【課題】音声認識による時刻合わせ機能を備えた時計装置であって、時刻合わせのタイミングを逃すことなく、簡単確実に正確な時刻合わせを行うこと。【解決手段】最初に任意の標準時（時報など）に合わせて時刻設定ボタン１３を押下操作した後は、特に時間に制約を受けることなく時刻音声認識処理によってボタン１３押下時点の時刻音声を発声入力して認識させ、この音声認識された時刻データに変換表示させると共に、音声認識後に前記時刻設定ボタン１３の押下が解除された時点での前記ボタン１３押下開始時点からの経過時間を音声認識変換表示された時刻データに加算し、これを現在時刻として時刻計測部１６に設定、時刻表示部１７に表示させるようにしたので、ユーザは時刻設定ボタン１３を押下操作した任意の標準時を発声して音声認識させるだけで本時計装置１０の時刻計測部１６、時刻表示部１７を正確な時刻に合わせることができる。【選択図】      図１
2006300528.tif 000002
【特許請求の範囲】
【請求項１】
ユーザ操作に応じて時刻設定の指示を入力する時刻設定入力手段と、
音声を入力する音声入力手段と、
前記時刻設定入力手段により時刻設定の指示が入力された後に前記音声入力手段により入力された時刻に関する音声を認識し時刻情報に変換する時刻音声認識手段と、
前記時刻設定入力手段により時刻設定の指示が入力された時点から前記時刻音声認識手段により時刻に関する音声が時刻情報として音声認識変換されるまでの経過時間を取得する経過時間取得手段と、
前記時刻音声認識手段により音声認識されて変換された時刻情報に前記経過時間取得手段により取得された経過時間を加算する経過時間加算手段と、
この経過時間加算手段により前記経過時間の加算された時刻情報を現在の時刻として設定する時刻設定手段と、
を備えたことを特徴とする時計装置。
【請求項２】
前記経過時間取得手段は、前記時刻設定入力手段により時刻設定の指示が入力された時点から前記時刻音声認識手段により時刻に関する音声が時刻情報として音声認識変換されるまでの経過時間を計測して取得する経過時間計測手段であることを特徴とする請求項１に記載の時計装置。
【請求項３】
前記経過時間取得手段は、
前記時刻設定入力手段により時刻設定の指示が入力された時点の時刻を取得する第１の時刻取得手段と、
前記時刻音声認識手段により時刻に関する音声が時刻情報として音声認識変換された時点の時刻を取得する第２の時刻取得手段とを備え、
前記第１の時刻手段により取得された時刻と前記第２の時刻取得手段により取得された時刻との時間差を計算してその経過時間を取得することを特徴とする請求項１に記載の時計装置。
【請求項４】
時計部と音声入力部を備えた電子機器のコンピュータを制御して時刻合わせを行うための時刻合わせ処理プログラムであって、
前記コンピュータを、
ユーザ操作に応じた時刻設定の指示を入力する時刻設定入力手段、
この時刻設定入力手段により時刻設定の指示が入力された後に前記音声入力部により入力された時刻に関する音声を認識し時刻情報に変換する時刻音声認識手段、
前記時刻設定入力手段により時刻設定の指示が入力された時点から前記時刻音声認識手段により時刻に関する音声が時刻情報として音声認識変換されるまでの経過時間を取得する経過時間取得手段、
前記時刻音声認識手段により音声認識されて変換された時刻情報に前記経過時間取得手段により取得された経過時間を加算する経過時間加算手段、
この経過時間加算手段により前記経過時間の加算された時刻情報を現在の時刻として設定する時刻設定手段、
として機能させるようにしたコンピュータ読み込み可能な時刻合わせ処理プログラム。
【発明の詳細な説明】
【技術分野】
【０００１】
本発明は、音声認識による時刻合わせ機能を備えた時計装置、および時計装置の時刻合わせ処理プログラムに関する。
【背景技術】
【０００２】
従来、音声認識機能を用いて時刻合わせをする時計装置が考えられている（例えば、特許文献１参照。）。
【０００３】
この時計装置では、まず音声認識機能を用いて設定したい時刻を音声入力して認識させた後、その設定時刻になった際に所定のキー操作を行うことで、当該設定時刻に対応する時刻表示に合わせることができる。例えば、８時の時報に時刻表示を合わせたい場合には、ユーザが「はちじ」と発声して音声認識させた後、８時の時報に合わせて所定のキーを押下操作することで、当該キー操作のタイミングで時刻表示が８時に合わされる。
【０００４】
つまり、時計装置の時刻表示を予め設定したい時刻表示に合わせて一時停止状態としておくのではなく、この設定時刻を事前に音声認識させておくことで、後の１キー操作で自動的に設定時刻に合わさるようにしている。
【特許文献１】特開２０００−０７５８４４号公報
【発明の開示】
【発明が解決しようとする課題】
【０００５】
しかしながら、前記従来の音声認識による時刻合わせ機能を備えた時計装置では、例えば８時に合わせたい場合において、「はちじ」の音声入力とその認識に手間取ってしまった場合、８時の時報に合わせて所定のキー操作を行う前に当該８時を過ぎてしまうような状況に陥る恐れがあり、この場合には次の時報のタイミングを狙って再度設定時刻の音声入力・認識からやり直さねばならないなど、操作上の不都合が生じる問題がある。
【０００６】
本発明は、このような課題に鑑みなされたもので、時刻合わせのタイミングを逃すことなく、簡単確実に正確な時刻合わせを行うことが可能になる時計装置およびその時刻合わせ処理プログラムを提供することを目的とする。
【課題を解決するための手段】
【０００７】
請求項１に記載の時計装置は、ユーザ操作に応じて時刻設定の指示を入力する時刻設定入力手段と、音声を入力する音声入力手段と、前記時刻設定入力手段により時刻設定の指示が入力された後に前記音声入力手段により入力された時刻に関する音声を認識し時刻情報に変換する時刻音声認識手段と、前記時刻設定入力手段により時刻設定の指示が入力された時点から前記時刻音声認識手段により時刻に関する音声が時刻情報として音声認識変換されるまでの経過時間を取得する経過時間取得手段と、前記時刻音声認識手段により音声認識されて変換された時刻情報に前記経過時間取得手段により取得された経過時間を加算する経過時間加算手段と、この経過時間加算手段により前記経過時間の加算された時刻情報を現在の時刻として設定する時刻設定手段とを備えたことを特徴としている。
【０００８】
請求項２に記載の時計装置は、前記請求項１に記載の時計装置において、前記経過時間取得手段は、前記時刻設定入力手段により時刻設定の指示が入力された時点から前記時刻音声認識手段により時刻に関する音声が時刻情報として音声認識変換されるまでの経過時間を計測して取得する経過時間計測手段であることを特徴としている。
【０００９】
請求項３に記載の時計装置は、前記請求項１に記載の時計装置において、前記経過時間取得手段は、前記時刻設定入力手段により時刻設定の指示が入力された時点の時刻を取得する第１の時刻取得手段と、前記時刻音声認識手段により時刻に関する音声が時刻情報として音声認識変換された時点の時刻を取得する第２の時刻取得手段とを備え、前記第１の時刻手段により取得された時刻と前記第２の時刻取得手段により取得された時刻との時間差を計算してその経過時間を取得することを特徴としている。
【発明の効果】
【００１０】
本発明の請求項１（請求項４）に記載の時計装置（時刻合わせ処理プログラム）によれば、時刻設定入力手段によってユーザ操作に応じた時刻設定の指示が入力されると共に、この設定指示に対応する標準時刻のユーザ音声が音声入力手段によって入力されると、この入力された時刻に関する音声が時刻音声認識手段によって認識され時刻情報に変換される。そして前記時刻設定の指示が入力された時点から前記時刻に関する音声が時刻情報として音声認識変換されるまでの経過時間が経過時間取得手段によって取得され、経過時間加算手段によって前記音声認識変換された時刻情報に加算されると共に、この経過時間の加算された時刻情報が現在の時刻として時刻設定手段によって設定されるので、ユーザは特に時間に制約を受けることなく、時刻設定の指示を入力した任意の標準時刻を発声して音声認識させるだけで、非常に容易に且つ正確に時刻合わせできるようになる。
【００１１】
よって、本発明によれば、時刻合わせのタイミングを逃すことなく、簡単確実に正確な時刻合わせを行うことが可能になる時計装置およびその時刻合わせ処理プログラムを提供できる。
【発明を実施するための最良の形態】
【００１２】
以下図面により本発明の実施の形態について説明する。
【００１３】
図１は、本発明の実施形態に係る時計装置１０の構成を示すブロック図である。
【００１４】
この時計装置１０は、ＣＰＵからなる制御部１８を備え、記憶部１８ａに予め記憶された時計制御プログラム、あるいはＣＤ（ＤＶＤ）−ＲＯＭ、ＦＤ、メモリカードなどの外部記憶媒体Ｍから記憶部１８ａに読み込まれた時計制御プログラム、あるいは通信ネットワーク（インターネット）Ｎ上のＷｅｂサーバ２０から通信部１９を介して受信され記憶部１８ａに読み込まれた時計制御プログラムに従って各部の動作が制御される。
【００１５】
制御部１８には、時刻計測部（時計）１６における計時動作に応じて出力される年，月，日，時，分，秒を示す計時信号が入力される。制御部１８は、この時刻計測部（時計）１６から入力された計時信号に従って現在の年，月，日，時，分，秒の表示データを生成し、時刻表示部１７に出力して表示させる。
【００１６】
また、制御部１８には、時刻設定ボタン１３におけるユーザのボタン操作に応じて出力される時刻設定操作信号が入力され、当該制御部１８は、この時刻設定操作信号を入力すると経過時間計測タイマ１４に対して経過時間計測開始の指令信号を出力する。
【００１７】
この経過時間計測タイマ１４は、前記時刻設定ボタン１３のユーザ操作に応じて制御部１８から入力された経過時間計測開始の指令信号に従い当該ボタン（１３）操作時点からの経過時間の計測を開始するもので、この計測された経過時間データは時刻加算部１５に出力される。
【００１８】
一方、この時計装置１０は、音声入力部（マイク）１１を備え、この音声入力部（マイク）１１において入力された音声信号は、時刻音声認識部１２へ出力される。
【００１９】
この時刻音声認識部１２は、前記音声入力部１１から入力された音声信号から時，分，秒の時間単位に対応した時刻の音声を認識するもので、この時刻音声認識部１２により音声認識された時，分，秒の時刻データは、制御部１８に出力される一方で時刻加算部１５にも出力される。
【００２０】
図２は、前記時計装置１０の時刻音声認識部１２が有する音声認識用の辞書データを示す図である。
【００２１】
この音声認識用の辞書データは、図２（Ａ）に示すように、音声認識される時，分，秒の時間単位に対応した時刻音声の読み（発音）に対する出力として、例えば図２（Ｂ）〜（Ｅ）に示すように、それぞれその時刻の数字データを対応付けして記憶したものであり、これに基づき音声入力された時刻の時，分，秒を認識して出力する。
【００２２】
時刻加算部１５は、前記時刻音声認識部１２により音声認識されて入力された時，分，秒の時刻データに対して、前記経過時間計測タイマ１４により計測されて入力される前記時刻設定ボタン１３の操作時点からの経過時間データを加算するもので、この時刻加算部１５により加算演算された時刻データ（音声認識時刻データ＋時刻設定ボタン操作時からの経過時間データ）は制御部１８に出力される。
【００２３】
制御部１８は、前記時刻設定ボタン１３の操作／解除検出後において前記時刻加算部１５から入力された時刻データに対応した時，分，秒の表示データを生成し、時刻表示部１７に出力して表示させる。
【００２４】
次に、前記構成の時計装置１０における時刻合わせ機能について説明する。
【００２５】
図３は、前記時計装置１０による時刻設定処理を示すフローチャートである。
【００２６】
例えば午前８時に合わせたい場合には、まず、ユーザは８時の標準時（時報など）に合わせて時刻設定ボタン１３を押下操作する。
【００２７】
制御部１８において、前記時刻設定ボタン１３の押下操作に伴う時刻設定操作信号が入力されたと判断されると（ステップＳ１）、経過時間計測タイマ１４に対して経過時間計測開始の指令信号が出力され、前記午前８時に合わせたボタン１３押下時点からの経過時間の計測が開始されると共に（ステップＳ２）、図４のフローチャートに従った時刻音声認識処理が開始される（ステップＳＡ）。
【００２８】
図４は、前記時計装置１０の時刻設定処理に伴う時刻音声認識処理を示すフローチャートである。
【００２９】
前記午前８時に合わせた時刻設定ボタン１３の押下操作に続いて、ユーザが当該ボタン１３押下の設定時刻である「はちじちょうど」と発声すると、この「はちじちょうど」の発声音声が音声入力部１１に入力されて時刻音声認識部１２に出力され、前記図２で示したような時刻音声の読み（発音）を認識するための音声認識用の辞書データに基づき、「はちじちょうど」の発声音声が認識されて対応する時刻データ［０８：＊＊：＊＊］に変換される（ステップＡ１）。
【００３０】
すると、変換された時刻データ［０８：＊＊：＊＊］は時刻表示部１７に表示される（ステップＡ２）。
【００３１】
ここで、例えば“分”や“秒”についての音声入力がなく“時ちょうど”のみの音声認識が成された場合には、当該音声認識されて変換された時刻データ［０８：＊＊：＊＊］の“分”や“秒”のデータ部分［＊＊］には、自動的に［００］が入力されて［０８：００：００］に変換表示される。
【００３２】
一方、例えば「はちじ」の音声入力、認識、変換［０８：――：――］に続いて、「ぜろふん」、「ぜろびょう」との発声音声が音声入力部１１に入力されて時刻音声認識部１２に出力された場合には、前記同様に図２で示した音声認識用の辞書データに基づき、「ぜろふん」「ぜろびょう」の発声音声が認識されて対応する時刻データ［０８：００：００］に変換表示される（ステップＡ３→Ａ１，Ａ２）。
【００３３】
こうして、例えば前記８時の標準時（時報など）に合わせた時刻設定ボタン１３の押下操作に続いて時刻音声「はちじちょうど」の認識変換処理により時刻データ［０８：００：００］を表示させた状態で、前記時刻設定ボタン１３の押下操作状態が解除されると（ステップＳ１〜Ｓ３）、音声認識されて変換表示されている時刻データ［０８：００：００］が時分秒からなる完全な時刻データであるか否か確認される（ステップＳ４）。
【００３４】
ここで、音声認識変換表示された時刻データ［０８：００：００］が完全な時刻データであると確認されると、前記午前８時に合わせた時刻設定ボタン１３の押下時点からの経過時間計測タイマ１４による経過時間の計測が停止され（ステップＳ４→Ｓ５）、この計測された経過時間が時刻加算部１５において前記時刻音声認識部１２にて音声認識された時刻データに加算される（ステップＳ６）。
【００３５】
つまり、前記８時の標準時（時報など）に合わせた時刻設定ボタン１３の押下時点からの計測経過時間が、例えば３６秒であった場合には、前記音声認識変換表示された時刻データ［０８：００：００］に当該計測経過時間［３６秒］が加算されて［０８：００：３６］となり、これが現在時刻として時刻計測部１６に設定され時刻表示部１７に表示される（ステップＳ７）。
【００３６】
一方、前記ステップＳ４において音声認識変換表示された時刻データが完全な時刻データでなく、時刻音声認識処理が正しく行われなかったと判断された場合には、時刻表示部１７に対してエラーメッセージが表示され、ユーザに対し本時刻設定処理のやり直しが促される（ステップＳ４→Ｓ８）。
【００３７】
したがって、前記構成の時計装置１０における時刻合わせ機能によれば、最初に任意の標準時（時報など）に合わせて時刻設定ボタン１３を押下操作した後は、特に時間に制約を受けることなく時刻音声認識処理によってボタン１３押下時点の時刻音声を発声入力して認識させ、この音声認識された時刻データに変換表示させると共に、音声認識後に前記時刻設定ボタン１３の押下が解除された時点での前記ボタン１３押下開始時点からの経過時間を音声認識変換表示された時刻データに加算し、これを現在時刻として時刻計測部１６に設定、時刻表示部１７に表示させるようにしたので、ユーザは時刻設定ボタン１３を押下操作した任意の標準時を発声して音声認識させるだけで本時計装置１０の時刻表示部１７を正確な時刻に合わせることができるようになる。
【００３８】
よって、従来の時計装置のように、時刻設定用の所定のキーを押下操作するタイミングに制約を受けずに、非常に容易に且つ正確に時刻合わせできるようになる。
【００３９】
なお、前記実施形態では、時刻設定ボタン１３の押下操作時点から押下解除時点までである時刻音声認識変換完了時までの経過時間を計測し、この計測された経過時間を音声認識された前記ボタン１３押下時対応の時刻データに加算して現在時刻として設定表示する構成としたが、次の図５における他の実施形態にて説明するように、時刻設定ボタン１３の押下操作時点の時刻ｔ１、および時刻音声認識完了後のボタン１３の押下解除時点の時刻ｔ２をそれぞれ記憶し、その時間差（ｔ２−ｔ１）から前記ボタン１３押下時点からの経過時間を取得し、音声認識された時刻データに加算して現在時刻として設定表示する構成としてもよい。
【００４０】
図５は、前記時計装置１０による他の実施形態の時刻設定処理を示すフローチャートである。
【００４１】
この他の実施形態の時刻設定処理のフローチャートにおいて、前記実施形態の図３・図４で示した時刻設定処理のフローチャートと異なる処理ステップは、ステップＢ２，Ｂ５，Ｂ６である。
【００４２】
すなわち、例えば午後１１時に合わせたい場合には、まず、ユーザは１１時の標準時（時報など）に合わせて時刻設定ボタン１３を押下操作する。
【００４３】
制御部１８において、前記時刻設定ボタン１３の押下操作に伴う時刻設定操作信号が入力されたと判断されると（ステップＢ１）、時刻計測部１６にて計測されている計時時刻ｔ１が記憶されると共に（ステップＢ２）、図４のフローチャートに従った時刻音声認識処理が開始される（ステップＢＡ）。
【００４４】
前記午後１１時に合わせた時刻設定ボタン１３の押下操作に続いて、ユーザが当該ボタン１３押下の設定時刻である「ごごじゅういちじちょうど」と発声すると、この「ごごじゅういちじちょうど」の発声音声が音声入力部１１に入力されて時刻音声認識部１２に出力され、前記図２で示したような時刻音声の読み（発音）を認識するための音声認識用の辞書データに基づき、「ごごじゅういちじちょうど」の発声音声が認識されて対応する時刻データ［２３：＊＊：＊＊］に変換される（ステップＡ１）。
【００４５】
すると、変換された時刻データ［２３：＊＊：＊＊］は時刻表示部１７に表示される（ステップＡ２）。
【００４６】
ここで、例えば“分”や“秒”についての音声入力がなく“時ちょうど”のみの音声認識が成された場合には、当該音声認識されて変換された時刻データ［２３：＊＊：＊＊］の“分”や“秒”のデータ部分［＊＊］には、自動的に［００］が入力されて［２３：００：００］に変換表示される。
【００４７】
こうして、例えば前記午後１１時の標準時（時報など）に合わせた時刻設定ボタン１３の押下操作に続いて時刻音声「ごごじゅういちじちょうど」の認識変換処理により時刻データ［２３：００：００］を表示させた状態で、前記時刻設定ボタン１３の押下操作状態が解除されると（ステップＢ１〜Ｂ３）、音声認識されて変換表示されている時刻データ［２３：００：００］が時分秒からなる完全な時刻データであるか否か確認される（ステップＢ４）。
【００４８】
ここで、音声認識変換表示された時刻データ［２３：００：００］が完全な時刻データであると確認されると、この時刻計測部１６により計測されている計時時刻ｔ２が記憶されると共に（ステップＢ４→Ｂ５）、前記時刻設定ボタン１３押下時に記憶（ステップＢ２）した計時時刻ｔ１との時間差（ｔ２−ｔ１）から当該ボタン１３押下時点からの経過時間が取得され、時刻加算部１５において前記時刻音声認識部１２にて音声認識された時刻データに加算される（ステップＢ６）。
【００４９】
つまり、前記午後１１時の標準時（時報など）に合わせた時刻設定ボタン１３の押下時点と現時点までの経過時間が、例えば４３秒であった場合には、前記音声認識変換表示された時刻データ［２３：００：００］に当該計算経過時間［４３秒］が加算されて［２３：００：４３］となり、これが現在時刻として時刻計測部１６に設定され時刻表示部１７に表示される（ステップＢ７）。
【００５０】
一方、前記ステップＢ４において音声認識変換表示された時刻データが完全な時刻データでなく、時刻音声認識処理が正しく行われなかったと判断された場合には、時刻表示部１７に対してエラーメッセージが表示され、ユーザに対し本時刻設定処理のやり直しが促される（ステップＢ４→Ｂ８）。
【００５１】
したがって、前記構成の時計装置１０における他の実施形態の時刻合わせ機能によれば、最初に任意の標準時（時報など）に合わせて時刻設定ボタン１３を押下操作した後は、特に時間に制約を受けることなく時刻音声認識処理によってボタン１３押下時点の時刻音声を発声入力して認識させ、この音声認識された時刻データに変換表示させると共に、音声認識後に前記時刻設定ボタン１３の押下が解除された時点ｔ２で前記ボタン１３押下時点ｔ１との時間差（ｔ２−ｔ１）から得られる経過時間を計算して音声認識変換表示された時刻データに加算し、これを現在時刻として時刻計測部１６に設定、時刻表示部１７に表示させるようにしたので、この他の実施形態の場合でも、ユーザは時刻設定ボタン１３を押下操作した任意の標準時を発声して音声認識させるだけで本時計装置１０の時刻表示部１７を正確な時刻に合わせることができるようになる。
【００５２】
よって、従来の時計装置のように、時刻設定用の所定のキーを押下操作するタイミングに制約を受けずに、非常に容易に且つ正確に時刻合わせできるようになる。
【００５３】
なお、前記各実施形態において記載した時計合わせ機能による各処理の手法、すなわち、図３のフローチャートに示す時刻設定処理、図４のフローチャートに示す前記時刻設定処理に伴う時刻音声認識処理、図５のフローチャートに示す他の実施形態の時刻設定処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体Ｍに格納して配布することができる。そして、時計機能および音声入力機能を有する電子機器のコンピュータ（制御部（ＣＰＵ）１８）は、この外部記憶媒体Ｍに記憶されたプログラムを記憶部１８ａに読み込み、この読み込んだプログラムによって動作が制御されることにより、前記実施形態において説明した時計合わせ機能を実現し、前述した手法による同様の処理を実行することができる。
【００５４】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）２０から前記のプログラムデータを通信部１９を介して取り込んで記憶部１８ａに記憶させ、前述した時計合わせ機能を実現することもできる。
【００５５】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００５６】
【図１】本発明の実施形態に係る時計装置１０の構成を示すブロック図。
【図２】前記時計装置１０の時刻音声認識部１２が有する音声認識用の辞書データを示す図。
【図３】前記時計装置１０による時刻設定処理を示すフローチャート。
【図４】前記時計装置１０の時刻設定処理に伴う時刻音声認識処理を示すフローチャート。
【図５】前記時計装置１０による他の実施形態の時刻設定処理を示すフローチャート。
【符号の説明】
【００５７】
１０  …時計装置
１１  …音声入力部（マイク）
１２  …時刻音声認識部
１３  …時刻設定ボタン
１４  …経過時間計測タイマ
１５  …時刻加算部
１６  …時刻計測部（時計）
１７  …時刻表示部
１８  …制御部（ＣＰＵ）
１８ａ…記憶部
１９  …通信部
２０  …Ｗｅｂサーバ
Ｍ  …外部記憶媒体
Ｎ  …通信ネットワーク（インターネット）
【図１】
2006300528.tif 000003
【図２】
2006300528.tif 000004
【図３】
2006300528.tif 000005
【図４】
2006300528.tif 000006
【図５】
2006300528.tif 000007